【手続補正書】
【提出日】平成30年2月9日(2018.2.9)
【手続補正１】
【補正対象書類名】特許請求の範囲
【補正対象項目名】全文
【補正方法】変更
【補正の内容】
【特許請求の範囲】
【請求項１】
電気化学システムを操作する方法であって、
前記電気化学システムの出力バスへの第１の結果リップルを生成するために、電気化学的インピーダンス分光法試験波形を第１の電気化学装置に注入するステップと、
少なくとも１つの第２のオフセットリップルを前記出力バスで生成するステップと、を含み、
前記少なくとも１つの第２のオフセットリップルは、前記出力バス上の第１の結果リップルを少なくとも部分的にオフセットする方法。
【請求項２】
請求項１記載の方法において、
前記少なくとも１つの第２のオフセットリップルを前記出力バスで生成するステップは、前記出力バスへの入力ラインに接続された波形発生装置により行われる、前記少なくとも１つの第２のオフセットリップルを前記出力バスに注入することを含む方法。
【請求項３】
請求項２記載の方法において、
前記電気化学装置は、燃料電池システムの燃料電池セグメントを備え、
前記少なくとも１つの第２のオフセットリップルを前記出力バスに注入することは、前記少なくとも１つの第２のオフセットリップルを前記出力バスで生成するために、少なくとも１つのオフセット波形を少なくとも１つの第２の燃料電池セグメントに注入することを含み、
前記少なくとも１つの第２の燃料電池セグメントは、前記第１の燃料電池セグメントと並列に前記出力バスに接続される方法。
【請求項４】
請求項１記載の方法において、
第１の直流（「ＤＣ」）コンバータから前記第１の電気化学装置への第１の入力接続部に注入する電気化学的インピーダンス分光法試験波形を選択するステップと、
電気化学的インピーダンス分光法試験波形を前記第１の入力接続部に注入したことに応答して生成される前記第１のＤＣコンバータの第１の出力接続部上の前記第１の結果リップルを判定するステップと、
少なくとも１つの第２のＤＣコンバータから前記少なくとも１つの第２の電気化学装置への少なくとも１つの第２の入力接続部に注入する少なくとも１つのオフセット波形を、前記少なくとも１つの第２のＤＣコンバータの少なくとも１つの第２の出力接続部に供給される１つ以上の第２のリップルが前記第１の結果リップルを相殺するように、決定するステップと、
電気化学的インピーダンス分光法試験波形を前記第１の入力接続部に注入するステップと、
少なくとも１つのオフセット波形を前記少なくとも１つの第２の入力接続部に注入するステップと、をさらに含み、
前記第１の出力接続部および前記少なくとも１つの第２の出力接続部は、前記第１のＤＣコンバータおよび前記少なくとも１つの第２のＤＣコンバータをＤＣバスに並列に接続する方法。
【請求項５】
請求項４記載の方法において、
前記第１の電気化学装置は第１の燃料電池スタックセグメントであり、前記少なくとも１つの第２の電気化学装置は少なくとも１つの第２の燃料電池スタックセグメントであり、
前記方法は、
注入された電気化学的インピーダンス分光法試験波形に応答して電気化学的インピーダンス分光法（「ＥＩＳ」）を用いて前記第１の燃料電池スタックセグメントのインピーダンス応答を監視するステップと、
前記第１の燃料電池スタックセグメントのインピーダンス応答に少なくとも部分的に基づいて前記第１の燃料電池スタックセグメントの特性を判定するステップと、
をさらに含む方法。
【請求項６】
請求項５記載の方法において、
判定された特性は、燃料利用率であり、
前記方法は、判定された特性に基づいて前記第１の燃料電池スタックセグメントのセッティングを調整するステップをさらに含み、
前記判定された特性に基づいて第１の燃料電池スタックセグメントのセッティングを調整するステップは、判定された燃料利用率に基づいて前記第１の燃料電池スタックセグメントの燃料流量セッティングを調整することを含む方法。
【請求項７】
請求項５記載の方法において、
判定された特性が故障しきい値を超えるか否かを判定するステップと、
判定された特性が故障しきい値を超えると判定したことに応答して故障モードを指示するステップと、
をさらに含む方法。
【請求項８】
請求項５記載の方法において、
前記少なくとも１つの第２のＤＣコンバータから前記少なくとも１つの第２の電気化学装置への少なくとも１つの第２の入力接続部に注入する少なくとも１つのオフセット波形を、前記少なくとも１つの第２のＤＣコンバータの少なくとも１つの第２の出力接続部に供給される１つ以上の第２のリップルが前記第１の結果リップルを相殺するように、決定するステップは、第２のＤＣコンバータから第２の燃料電池スタックセグメントへの第２の入力接続部に注入する第２のオフセット波形と、第３のＤＣコンバータから第３の燃料電池スタックセグメントへの第３の入力接続部に注入する第３のオフセット波形と、第４のＤＣコンバータから第４の燃料電池スタックセグメントへの第４の入力接続部に注入する第４のオフセット波形とを、前記第２のＤＣコンバータの第２の出力接続部上の第２のリップルと、前記第３のＤＣコンバータの第３の出力接続部上の第３のリップルと、前記第４のＤＣコンバータの第４の出力接続部上の第４のリップルとの合計が前記第１の結果リップルを相殺するように、決定することを含み、
前記少なくとも１つのオフセット波形を前記少なくとも１つの第２の入力接続部に注入するステップは、
第２のオフセット波形を前記第２の入力接続部に注入することと、
第３のオフセット波形を前記第３の入力接続部に注入することと、
第４のオフセット波形を前記第４の入力接続部に注入することと、を含み、
前記第１の出力接続部、前記第２の出力接続部、前記第３の出力接続部、および前記第４の出力接続部は、前記第１のＤＣコンバータ、前記第２のＤＣコンバータ、前記第３のＤＣコンバータ、および前記第４のＤＣコンバータを前記ＤＣバスに並列に接続する方法。
【請求項９】
請求項１記載の方法において、
前記第１のＤＣコンバータは、エネルギー蓄積装置を含み、
前記方法は、リップルエネルギーを蓄積して前記リップルエネルギーを位相外れに放電するステップをさらに含む方法。
【請求項１０】
システムであって、
直流（「ＤＣ」）バスと、
第１の入力接続部を介して第１のＤＣコンバータに電気的に接続される第１の電気化学装置であって、前記第１のＤＣコンバータが第１の出力接続部を介して前記ＤＣバスに接続される、第１の電気化学装置と、
少なくとも１つの第２の入力接続部を介して少なくとも１つの第２のＤＣコンバータに電気的に接続される少なくとも１つの第２の電気化学装置であって、前記少なくとも１つの第２のＤＣコンバータが少なくとも１つの第２の出力接続部を介して前記ＤＣバスに接続され、前記第１の出力接続部および前記少なくとも１つの第２の出力接続部は前記第１のＤＣコンバータおよび前記少なくとも１つの第２のＤＣコンバータを前記ＤＣバスに並列に接続する、少なくとも１つの第２の電気化学装置と、
前記第１のＤＣコンバータおよび前記少なくとも１つの第２のＤＣコンバータに接続され、操作を実行するプロセッサ実行可能な命令で構成されるプロセッサと、を備え、
前記操作には、
前記第１のＤＣコンバータから前記第１の電気化学装置への前記第１の入力接続部に注入する試験波形を選択することと、
試験波形を前記第１の入力接続部に注入することに応答して生成される前記第１の出力接続部上の第１の結果リップルを判定することと、
前記少なくとも１つの第２のＤＣコンバータから前記少なくとも１つの第２の電気化学装置への前記少なくとも１つの第２の入力接続部に注入する少なくとも１つのオフセット波形を、前記少なくとも１つの第２の出力接続部に供給される１つ以上の第２のリップルが前記第１の結果リップルを相殺するように、決定することと、
試験波形を前記第１の入力接続部に注入するように前記第１のＤＣコンバータを制御することと、
少なくとも１つのオフセット波形を前記少なくとも１つの第２の入力接続部に注入するように前記少なくとも１つの第２のＤＣコンバータを制御することと、
が含まれるシステム。
【請求項１１】
請求項１０記載のシステムにおいて、
前記第１の電気化学装置は第１の燃料電池スタックセグメントであり、前記少なくとも１つの第２の電気化学装置は少なくとも１つの第２の燃料電池スタックセグメントであり、
前記プロセッサは、
注入された試験波形に応答して電気化学的インピーダンス分光法（「ＥＩＳ」）を用いて前記第１の燃料電池スタックセグメントのインピーダンス応答を監視するように前記第１のＤＣコンバータを制御することと、
前記第１の燃料電池スタックセグメントのインピーダンス応答に少なくとも部分的に基づいて前記第１の燃料電池スタックセグメントの特性を判定することと、
がさらに含まれる操作を実行するプロセッサ実行可能な命令で構成されるシステム。
【請求項１２】
請求項１１記載のシステムにおいて、
前記プロセッサは、
判定された特性が故障しきい値を超えるか否かを判定することと、
判定された特性が故障しきい値を超えると判定したことに応答して故障モードを指示することと、
がさらに含まれる操作を実行するプロセッサ実行可能な命令で構成されるシステム。
【請求項１３】
請求項１１記載のシステムにおいて、
前記少なくとも１つの第２の電気化学装置は、
第２の入力接続部を介して第２のＤＣコンバータに電気的に接続される第２の燃料電池スタックセグメントであって、前記第２のＤＣコンバータが第２の出力接続部を介して前記ＤＣバスに接続される、第２の燃料電池スタックセグメントと、
第３の入力接続部を介して第３のＤＣコンバータに電気的に接続される第３の燃料電池スタックセグメントであって、前記第３のＤＣコンバータが第３の出力接続部を介して前記ＤＣバスに接続される、第３の燃料電池スタックセグメントと、
第４の入力接続部を介して第４のＤＣコンバータに電気的に接続される第４の燃料電池スタックセグメントであって、前記第４のＤＣコンバータが第４の出力接続部を介して前記ＤＣバスに接続される、第４の燃料電池スタックセグメントと、を備え、
前記第１の出力接続部、前記第２の出力接続部、前記第３の出力接続部、および前記第４の出力接続部は、前記第１のＤＣコンバータ、前記第２のＤＣコンバータ、前記第３のＤＣコンバータ、および前記第４のＤＣコンバータを前記ＤＣバスに並列に接続し、
前記プロセッサは、
前記少なくとも１つの第２のＤＣコンバータから前記少なくとも１つの第２の電気化学装置への前記少なくとも１つの第２の入力接続部に注入する少なくとも１つのオフセット波形を、前記少なくとも１つの第２の出力接続部に供給される１つ以上の第２のリップルが前記第１の結果リップルを相殺するように、決定することが、前記第２のＤＣコンバータから前記第２の燃料電池スタックセグメントへの前記第２の入力接続部に注入する第２のオフセット波形と、前記第３のＤＣコンバータから前記第３の燃料電池スタックセグメントへの前記第３の入力接続部に注入する第３のオフセット波形と、前記第４のＤＣコンバータから前記第４の燃料電池スタックセグメントへの前記第４の入力接続部に注入する第４のオフセット波形とを、前記第２の出力接続部上の第２のリップルと、前記第３の出力接続部上の第３のリップルと、前記第４の出力接続部上の第４のリップルとの合計が前記第１の結果リップルを相殺するように、決定することを含むように、かつ
前記少なくとも１つのオフセット波形を前記少なくとも１つの第２の入力接続部に注入するように前記少なくとも１つの第２のＤＣコンバータを制御することが、
第２のオフセット波形を前記第２の入力接続部に注入するように前記第２のＤＣコンバータを制御することと、
第３のオフセット波形を前記第３の入力接続部に注入するように前記第３のＤＣコンバータを制御することと、
第４のオフセット波形を前記第４の入力接続部に注入するように前記第４のＤＣコンバータを制御することと、を含むように、
操作を実行するプロセッサ実行可能な命令で構成されるシステム。
【請求項１４】
システムであって、
直流電流（「ＤＣ」）バスと、
第１の入力接続部を介して第１のＤＣコンバータに電気的に接続される第１の燃料電池セグメントであって、前記第１のＤＣコンバータが第１の出力接続部を介して前記ＤＣバスに接続される、第１の燃料電池セグメントと、
少なくとも１つの第２の出力接続部を介して前記ＤＣバスに接続される少なくとも１つの第２の装置と、
前記第１のＤＣコンバータおよび前記少なくとも１つの第２の装置に接続され、操作を実行するプロセッサ実行可能な命令で構成されるプロセッサと、を備え、
前記操作には、
前記ＤＣバスへの第１の結果リップルを生成するために電気化学的インピーダンス分光法試験波形を前記第１の燃料電池セグメントに注入することと、
前記少なくとも１つの第２の装置から少なくとも１つの第２のオフセットリップルを前記ＤＣバスに注入することと、が含まれ、
前記少なくとも１つの第２のオフセットリップルは、前記ＤＣバス上の前記第１の結果リップルを少なくとも部分的にオフセットするシステム。
【請求項１５】
請求項１４記載のシステムにおいて、
前記少なくとも１つの第２の装置は、少なくとも１つの波形発生装置であり、
前記少なくとも１つの第２の装置は、少なくとも１つの第２の入力接続部を介して少なくとも１つの第２の燃料電池セグメントに電気的に接続される少なくとも１つの第２のＤＣコンバータであり、
前記第１の出力接続部および前記少なくとも１つの第２の出力接続部は、前記ＤＣバスに並列に接続され、
前記プロセッサは、前記少なくとも１つの第２の装置から少なくとも１つの第２のオフセットリップルを前記ＤＣバスに注入することが、前記ＤＣバスへの少なくとも１つの第２のオフセットリップルを生成するために少なくとも１つのオフセット波形を前記少なくとも１つの第２の燃料電池セグメントに注入することを含むように、操作を実行するプロセッサ実行可能な命令で構成されるシステム。